【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
その一端に吸入と排出との作動を行うための第１のポンプ室と、この第１のポンプ室の作動により前記吸入と排出とに分配して、分配したそれぞれを導くための吸入口と排出口とを設けた分配管を備えたポンプ体と、
このポンプ体を形成する前記分配管の吸入口に接続したパイプ状の吸人管と、
前記分配管に設けた排出口に接続すると共に、その終端部分をストレート状のパイプ管とした蛇腹状ホースと、この蛇腹状ホースの蛇腹終端部と前記ストレート状のパイプ管との間に設けられ、給油後に少なくとも前記ストレート状のパイプ管内の周壁面に付着した残液の排出を、促進させる第２のポンプ室とを設けた排出管とからなる給油ポンプ。
【請求項２】
その一端に吸入と排出との作動を行うための第１のポンプ室と、この第１のポンプ室の作動により前記吸入と排出とに分配して、分配したそれぞれを導くための吸入口と排出口とを設けた分配管を備えたポンプ体と、
このポンプ体を形成する前記分配管の吸人口に接続したパイプ状の吸入管と、
前記分配管に設けた排出口に接続すると共に、その終端部分をストレート状のパイプ管として、このストレート状のパイプ管の端部周囲を鋸歯状カットとした蛇腹状ホースと、この蛇腹状ホースの蛇腹終端部と前記ストレート状のパイプ管との間に設けられ、給油後に少なくとも前記ストレート状のパイプ管内の周壁面に付着した残液の排出を、前記鋸歯状カットと共に促進させる第２のポンプ室とを設けた排出管とからなる給油ポンプ。
【手続補正２】
【補正対象書類名】明細書
【補正対象項目名】０００４
【補正方法】変更
【補正の内容】
【０００４】
上記不具合を解消するために、本発明は次のような構成としている。
請求項１に記載した給油ポンプは、その一端に吸入と排出との作動を行う第１のポンプ室を有し、このポンプ室の作動により前記吸入と排出とを分配して、分配したそれぞれを導くための吸入口と排出口とを有する分配管とを配設してポンプ体とした。このポンプ体の前記吸入口にパイプ状の吸人管を配設すると共に、前記排出口には、その終端部分をストレート状のパイプ管とした蛇腹状ホースよりなる排出管を接続した。
この蛇腹状ホースよりなる排出管の蛇腹終端部と前記ストレート状のパイプ管との間に設けられ、少なくとも前記ストレート状のパイプ管内の周壁面に付着した給油後の、残液                                                                  の排出を促進させる第２のポンプ室を排出管に設けることで給油ポンプとした。
このような給油ポンプは、給油後に第２のポンプ室を押圧することにより複数回作動させると、排出管内に付着した残液を、前記第２のポンプ室で生じた風圧により液垂れの速度を早くして、終決させることができる。
請求項２に記載した給油ポンプは、請求項１に記載した給油ポンプの排出管終端部にある前記ストレート状のパイプ管先端を鋸歯状カットに形成することにより、鋸歯状三角形の先端部から液垂れを早めたものであり、排出管内外に付着した液体を短持間で滴下させることができる。
【手続補正３】
【補正対象書類名】明細書
【補正対象項目名】０００６
【補正方法】変更
【補正の内容】
【０００６】
本発明について、図面を参照して説明する。図１は本発明の給油ポンプを示す斜視図、図２は図１で示すポンプ体を示す説明図、図３は図１で示す排出管の一部を破断して示す斜視図である。
図１で示すように、本発明の給油ポンプ１０は、その一端に設けられて、吸入と排出とを行なうためのポンプ体１２と、このポンプ体１２で分配した吸入と排出とを、それぞれ導く吸入管３０と排出管３２とからなる。
このようなポンプ体１２と吸入管３０及び排出管３２とについて更に詳細に説明する。  ポンプ体１２は、図２で示すように中空の樽状よりなる第１のポンプ室１３と、この第１のポンプ室の作動により、吸入と排出とを行う分配管２０とからなる。
第１のポンプ室１３の一端には、ポンプ室内の機密性を維持したりさせなかったりするためのキャップ１４を有し、他端側には分配管２０を接続している。
分配管２０内には図示しないが、吸入と排出を規制する弁が設けられると共に、その側壁には排出口２４を、また分配管２０の終端を吸入口２２としている。すなわち、この分配管２０は、液体の分配作用及び吸入口と排出口とを備えたものである。
第１のポンプ室１３を図中の矢印Ａ方向に押圧するように握ると、図中の矢印Ｂで示す方向に排出口２４から排出され、握り動作を中止して第１のポンプ室１３から手を離すと吸入口２２より、図中の矢印Ｃで示す方向に吸入されるように形成されており、市販のものと略同様である。
更にこの分配管２０には、排出管の先端を掛止させるために、対向配置した円弧形の掛止体２５を設けている。
【手続補正４】
【補正対象書類名】明細書
【補正対象項目名】０００８
【補正方法】変更
【補正の内容】
【０００８】
この第２のポンプ室３４に連接して設けた直管よりなるパイプ３６の先端部には、その周囲を複数の三角形よりなる山形に形成した鋸歯状カット３８が設けられている。
この第２のポンプ室３４と鋸歯状カット３８部は、給油後の蛇腹３３内の周壁面に付着して残留する液体の排出を促進するためのものであり、その作用を説明する。
給油後に給油ポンプを引出すと、特に排出管３２である蛇腹ホース内の周壁面には、カートリッジに注入した残液が多く付着して、自然落下にまかせるといつまでも落下し続けるものである。そこで第２のポンプ室３４を押圧すると、その中空室内の排気力で少なくともパイプ３６内の周壁面に付着した残液を強制的に排出させることになる。
パイプ３６先端には鋸歯状カット３８が設けられているから、強制的に排出された残液は、三角形の山形部分で液離れが良くなり加速されるだけでなく、第２のポンプ室３４による強制的な排気でその滴下が更に促進されることになる。
尚、パイプ３６の外周壁面に付着した残液は、鋸歯状カット３８の山形部分でパイプ３６内の周壁面に付着した残液と一体になると共に、第２のポンプ室３４の排気でその滴下が促進されるので、パイプ３６の内外両方の周壁面に付着した残液の液垂れが早まるものである。
【手続補正５】
【補正対象書類名】明細書
【補正対象項目名】０００９
【補正方法】変更
【補正の内容】
【０００９】
給油後の排出管３２内の周壁面には、付着した残液が残って垂れ続けるが、第２のポンプ室３４の作用によって、一時的にパイプ３６内の残液が強制的に排出されることになる。また、蛇腹３３内の残液は、第２のポンプ室３４の作動によって少しではあるが上昇させる作用が生じる。すなわち、第２のポンプ室３４を押圧すると、蛇腹３３とパイプ３６との両方に排気されるが、排出口付近に設けた逆止弁の作用によって、蛇腹３３方向への排気力は少ないと言えども多少の通気があって、この通気が残液を一時的に押し止めることになる。
このような蛇腹３３部分の液垂れを、押し止めると共に、パイプ３６内の残液を強制的に滴下させてしまうので、液垂れが一時的に止まることになる。この時間を利用して、排出管３２を図２で示した掛止体２５に掛止すると、周囲に液垂れを生じることなく給油ポンプの使用を終了させることができる。
【手続補正６】
【補正対象書類名】明細書
【補正対象項目名】００１０
【補正方法】変更
【補正の内容】
【００１０】
このような排出管３２の処置について、図面を参照して説明する。図４は図３で示す排出管内の液垂れ防止処置を示す説明図である。
前述した様に、給油後の給油ポンプは、保管タンクから吸入管３０を、また、給油したカートリッジ等からは排出管３２を引出すことになる。但し給油直後は吸入管３０と排出管３２との両方の管内に付着した残液が垂れるので、液垂れが早く終了する直管よりなる吸入管３０の液垂れを待つことになる。
排出管３２は前述したように、蛇腹部分の滴下が遅くいつまでも続くので、吸入管の液垂れが終るころに、排出管３２に設けた第２のポンプ室を作動して、パイプ３６部分の液垂れを促進することで、前述したような一時的に液垂れのしない時間を設けることができる。この液垂れのしない間に、排出管３２を形成するパイプ３６の先端部を、図４の矢印で示す方向に移動させて、分配管２０の外周壁面などに設けた掛止体２５に差し込む。
このような状態では、図２で示したように排出管３２を取付ける排出口２４と掛止体２５とが、略同一高さに設けられているので、排出管３２の中間部は掛止体２５の位置よりも下側になる。従って、排出管３２の管内中央部に残留液が集まるので、この残留液は鋸歯状カット３８部から外にこぼれることがない。
【手続補正７】
【補正対象書類名】明細書
【補正対象項目名】００１１
【補正方法】変更
【補正の内容】
【００１１】
本発明によれば、排出管に第２のポンプ室を設けたことにより、その先端部分に付着した残液を強制的に滴下させて、液垂れの生じない時間を設け、その間に排出管３２をカートリッジから引抜いて、周囲に液垂れを生じさせることなく、給油ポンプの使用終了後の始末をすることができるものである。
更に鋸歯状カットの存在により、液垂れ時間の更なる短縮と、パイプ３６外周壁面に付着した残液の処置も同時に行なうことができるようになったものである。
また、本発明の特徴となる第２のポンプ室は、電動用の給油ポンプにも適用することができる。それは、本願と同様に排出管の途中に第２のポンプ室を設けると共に、この第２のポンプ室と蛇腹との間に逆止弁を設けることで、対応することが可能である。
電動用の給油ポンプは、手動用の給油ポンプとはその構造の違いによって、排気用の逆止弁が設けられていないものもある。よって、第２のポンプ室と蛇腹との間に逆止弁を設けて、この第２のポンプ室によって生じる排気を、液垂れ方向にのみ排出するようにすると、本発明の効果が同様に得られるものである。